(57)【要約】【課題】被検体に対する診断または治療において、Ｘ線とＸ線とは異なる放射線とが組み合わせて用いられる場合に、医用装置において被検体に対して使用された放射線による被曝線量の総量を容易に把握し、患者毎の被曝線量を容易に管理することが可能な放射線使用量管理システムを提供する。【解決手段】この放射線使用量管理システム１００では、ＲＩＳサーバ２１は、医用装置１０から送信された被検体に対して使用されたＸ線に関する情報およびＸ線とは異なる種類の放射線に関する情報に基づいて、それぞれ、被検体に対して使用されたＸ線の使用量およびＸ線とは異なる種類の放射線の使用量を算出して、算出された被検体に対して使用されたＸ線の使用量とＸ線とは異なる種類の放射線の使用量とを同一の規格で記憶するように構成されている。【選択図】図１
2019136376.tif 000002
【特許請求の範囲】
【請求項１】
ネットワークに接続され、放射線を用いて被検体を診断または治療する少なくとも１つの医用装置と、当該医用装置の情報を管理する放射線情報管理サーバと、を含み、前記医用装置に関する情報を管理する放射線使用量管理システムであって、
前記医用装置は、前記被検体に対して使用されたＸ線に関する情報と前記Ｘ線とは異なる種類の放射線に関する情報とを前記ネットワークを介して前記放射線情報管理サーバへ送信する送信部を有し、
前記放射線情報管理サーバは、
前記送信部から送信される情報を受信する受信部と、
前記受信部に送られた前記被検体に対して使用された前記Ｘ線に関する情報および前記Ｘ線とは異なる種類の放射線に関する情報に基づいて、それぞれ、前記被検体に対して使用されたＸ線の使用量および前記Ｘ線とは異なる種類の放射線の使用量を算出する算出部と、
前記算出部で算出された前記被検体に対して使用された前記Ｘ線の使用量と前記Ｘ線とは異なる種類の放射線の使用量とを同一の規格で記憶する記憶部と、を有する、放射線使用量管理システム。
【請求項２】
前記Ｘ線とは異なる種類の放射線は、前記被検体に投与された放射線医薬品から発せられるＸ線とは異なる放射線を含む、請求項１に記載の放射線使用量管理システム。
【請求項３】
前記算出部は、前記放射線医薬品に含まれる線源の量、および、前記放射線医薬品が前記被検体に投与された投与タイミングに基づいて、前記被検体に対して投与されることにより使用された前記Ｘ線とは異なる放射線の使用量を算出するように構成されている、請求項２に記載の放射線使用量管理システム。
【請求項４】
前記算出部は、前記放射線医薬品が製造された時点の前記放射線医薬品に含まれる線源の量と、前記放射線医薬品に含まれる線源の半減期と、前記放射線医薬品が製造された時刻と、前記放射線医薬品が前記被検体に投与された投与時刻とに基づいて、前記被検体に対して投与されることにより使用された前記Ｘ線とは異なる放射線の使用量を算出するように構成されている、請求項３に記載の放射線使用量管理システム。
【請求項５】
前記放射線情報管理サーバは、所定の期間毎に、前記医用装置から送信される、前記Ｘ線の使用量と前記被検体に対して投与されることにより使用された前記放射線医薬品から発せられる前記Ｘ線とは異なる放射線の使用量とを集計し、前記規格に基づいた構造化されたレポートを生成するように構成されている、請求項２〜４のいずれか１項に記載の放射線使用量管理システム。
【請求項６】
前記規格は、医用画像に関する画像伝送規格であるＤＩＣＯＭ規格を含む、請求項１〜５のいずれか１項に記載の放射線使用量管理システム。
【請求項７】
前記被検体に対して使用されたＸ線に関する情報は、前記医用装置に設けられるＸ線源に関する情報または前記医用装置による前記被検体に対する撮影条件に関する情報を含み、
前記算出部は、前記Ｘ線源に関する情報または前記撮影条件に関する情報の少なくともいずれか一方に基づいて、前記被検体に対して使用されたＸ線の使用量を算出するように構成されている、請求項１〜６のいずれか１項に記載の放射線使用量管理システム。
【請求項８】
前記Ｘ線源に関する情報は、前記Ｘ線源の電圧値、電流値または曝射時間の少なくともいずれかを含む、請求項７に記載の放射線使用量管理システム。
【請求項９】
ネットワークに接続され、放射線を用いて被検体を診断または治療する少なくとも１つの医用装置と、当該医用装置の情報を管理する放射線情報管理サーバと、を含み、前記医用装置に関する情報を管理する放射線使用量管理システムであって、
前記医用装置は、
前記被検体に対して使用されたＸ線に関する情報および前記Ｘ線とは異なる種類の放射線に関する情報とに基づいて、それぞれ、前記被検体に対して使用されたＸ線の使用量および前記Ｘ線とは異なる種類の放射線の使用量を算出する算出部と、
前記算出部で算出された前記被検体に対して使用された前記Ｘ線の使用量と前記Ｘ線とは異なる種類の放射線の使用量とを前記ネットワークを介して前記放射線情報管理サーバへ送信する送信部と、を有し、
前記放射線情報管理サーバは、
前記送信部から送信される情報を受信する受信部と、
前記受信部に送られた前記被検体に対して使用された前記Ｘ線の使用量と前記Ｘ線とは異なる種類の放射線の使用量とを同一の規格で記憶する記憶部と、を有する、放射線使用量管理システム。
【請求項１０】
ネットワークに接続され、放射線を用いて被検体を診断または治療する少なくとも１つの医用装置と、当該医用装置の情報を管理する放射線情報管理サーバと、を含み、前記医用装置に関する情報を管理する放射線使用量管理システムであって、
前記ネットワーク上において、前記医用装置と前記放射線情報管理サーバとの間に設けられる算出部を備え、
前記医用装置は、前記被検体に対して使用されたＸ線に関する情報と前記Ｘ線とは異なる種類の放射線に関する情報とを前記ネットワークを介して前記算出部へ送信する送信部を有し、
前記算出部は、前記送信部から送られた前記被検体に対して使用された前記Ｘ線に関する情報および前記Ｘ線とは異なる種類の放射線に関する情報に基づいて、それぞれ、前記被検体に対して使用されたＸ線の使用量および前記Ｘ線とは異なる種類の放射線の使用量を算出するとともに、算出された前記被検体に対して使用されたＸ線の使用量と前記Ｘ線とは異なる種類の放射線の使用量とを前記ネットワークを介して前記放射線情報管理サーバへ送信し、
前記放射線情報管理サーバは、
前記算出部から送信される情報を受信する受信部と、
前記受信部に送られた前記被検体に対して使用された前記Ｘ線の使用量と前記Ｘ線とは異なる種類の放射線の使用量とを同一の規格で記憶する記憶部と、を有する、放射線使用量管理システム。
【発明の詳細な説明】
【技術分野】
【０００１】
この発明は、放射線使用量管理システムに関し、特に、放射線を用いて被検体を診断または治療する医用装置に関する情報を管理する放射線使用量管理システムに関する。
【背景技術】
【０００２】
従来、放射線を用いて被検体を診断または治療する医用装置に関する情報を管理する放射線使用量管理システムが知られている（たとえば、特許文献１参照）。
【０００３】
上記特許文献１に記載の放射線被曝線量管理システム（放射線使用量管理システム）は、放射線検査装置（医用装置）と、放射線検査装置における撮影時に被検体が受けた被曝線量のデータを管理する被曝線量管理装置（放射線情報管理サーバ）とが、ネットワークを介して接続されている。上記特許文献１に記載の放射線被曝線量管理システムでは、放射線検査装置として、ＣＴ（コンピュータ断層診断装置）やＸ線透視撮影装置等のように、被検体にＸ線を照射して被検体を透過したＸ線に基づいて画像を生成する装置と、ＰＥＴ（陽電子放出断層撮影装置）やＳＰＥＣＴ（単一光子放射型コンピュータ断層撮影装置）等のように、被検体に投与された放射線医薬品に含まれるＲＩ（放射性同位体）から発せられるガンマ線に基づいて画像を生成する装置と、を含む。上記特許文献１に記載の放射線被曝線量管理システムでは、ネットワークに接続された放射線検査装置のうち、ＣＴ等のＸ線に基づいて画像を生成する装置において、Ｘ線管（Ｘ線源）のデータ、および、撮影条件のデータ等に基づいて、撮影時に被検体が受けたＸ線による被曝線量のデータが算出されている。
【先行技術文献】
【特許文献】
【０００４】
【特許文献１】特開２００７−９７９０９号公報
【発明の概要】
【発明が解決しようとする課題】
【０００５】
しかしながら、上記特許文献１のような従来の放射線使用量管理システムでは、ＰＥＴ等のように、被検体に投与された放射線医薬品に含まれるＲＩから発せられるガンマ線による被曝線量のデータは取得されていない。なお、被検体に投与される放射線医薬品に関するデータは、上記特許文献１のような従来の放射線使用量管理システムとは別個に管理していると考えられる。このため、上記特許文献１のような従来の放射線使用量管理システムでは、放射線検査装置により被検体に対して照射されるＸ線の被曝線量のデータのみ管理されており、被検体に投与される放射線医薬品に含まれるＲＩから発せられるガンマ線による被曝線量のデータは管理されていないので、放射線検査において被検体に対して使用された放射線による被曝線量の総量を容易に把握し、患者毎の被曝線量を容易に管理することが困難であるという問題点が考えられる。
【０００６】
なお、ＰＥＴ等のようにガンマ線を発するＲＩを用いた放射線検査に限らず、たとえば、ＣＴ等のようにＸ線を用いた放射線検査に、粒子線等を用いた放射線治療、ＲＩから発せられるアルファ線、ベータ線、ガンマ線の少なくともいずれかを用いた放射線治療、等のＸ線とは異なる放射線による治療が組み合わせて行われる場合にも、上記と同様の問題が発生すると考えられる。また、ＣＴとＰＥＴとが一体的に設けられたＣＴ／ＰＥＴ等の複合装置を用いた放射線検査のように、被検体に対してＸ線とＸ線以外の放射線とが短時間で略同時に使用される場合には、被検体に対して使用された放射線による被曝線量の総量を容易に把握することが重要であると考えられる。
【０００７】
この発明は、上記のような課題を解決するためになされたものであり、この発明の１つの目的は、被検体に対する診断または治療において、Ｘ線とＸ線とは異なる放射線とが組み合わせて用いられる場合に、医用装置において被検体に対して使用された放射線による被曝線量の総量を容易に把握し、患者毎の被曝線量を容易に管理することが可能な放射線使用量管理システムを提供することである。
【課題を解決するための手段】
【０００８】
上記目的を達成するために、この発明の第１の局面による放射線使用量管理システムは、ネットワークに接続され、放射線を用いて被検体を診断または治療する少なくとも１つの医用装置と、医用装置の情報を管理する放射線情報管理サーバと、を含み、医用装置に関する情報を管理する放射線使用量管理システムであって、医用装置は、被検体に対して使用されたＸ線に関する情報とＸ線とは異なる種類の放射線に関する情報とを、ネットワークを介して、放射線情報管理サーバへ送信する送信部を有し、放射線情報管理サーバは、送信部から送信される情報を受信する受信部と、受信部に送られた被検体に対して使用されたＸ線に関する情報およびＸ線とは異なる種類の放射線に関する情報に基づいて、それぞれ、被検体に対して使用されたＸ線の使用量およびＸ線とは異なる種類の放射線の使用量とを算出する算出部と、算出部で算出された被検体に対して使用されたＸ線の使用量とＸ線とは異なる種類の放射線の使用量とを同一の規格で記憶する記憶部と、を有する。
【０００９】
この発明の第１の局面による放射線使用量管理システムでは、上記のように、放射線情報管理サーバは、医用装置から送信された被検体に対して使用されたＸ線に関する情報およびＸ線とは異なる種類の放射線に関する情報に基づいて、それぞれ、被検体に対して使用されたＸ線の使用量およびＸ線とは異なる種類の放射線の使用量を算出して、算出された被検体に対して使用されたＸ線の使用量とＸ線とは異なる種類の放射線の使用量とを同一の規格で記憶する。これにより、放射線情報管理サーバでは、Ｘ線の使用量とＸ線とは異なる種類の放射線の使用量とを一元管理することができるので、被検体に対して使用されたＸ線による被曝線量とＸ線とは異なる種類の放射線による被曝線量との両方を容易に把握することができる。その結果、被検体に対する診断または治療において、Ｘ線とＸ線とは異なる放射線とが組み合わせて用いられる場合に、医用装置において被検体に対して使用された放射線による被曝線量の総量を容易に把握し、患者毎の被曝線量を容易に管理することができる。また、この発明の第１の局面による放射線使用量管理システムを複数の病院、施設等に設け、各々の放射線管理システムをネットワークを介して接続した場合には、被検体が複数の病院、施設において診断または治療を受ける場合においても、医用装置において被検体に対して使用された放射線による被曝線量の総量を容易に把握し、患者毎の被曝線量を容易に管理することができる。
【００１０】
上記第１の局面による放射線使用量管理システムにおいて、好ましくは、Ｘ線とは異なる種類の放射線は、被検体に投与された放射線医薬品から発せられるＸ線とは異なる放射線を含む。このように構成すれば、Ｘ線の使用量と被検体に対して投与されることにより使用されたＸ線とは異なる放射線の使用量とを一元管理することができるので、被検体に対して使用されたＸ線による被曝線量と、被検体に対して投与されることにより使用されたＸ線とは異なる放射線による被曝線量との両方を容易に把握することができる。
【００１１】
この場合、好ましくは、算出部は、放射線医薬品に含まれる線源の量、および、放射線医薬品が被検体に投与された投与タイミングに基づいて、被検体に対して投与されることにより使用されたＸ線とは異なる放射線の使用量を算出するように構成されている。このように構成すれば、放射線医薬品が被検体に投与された投与タイミングに基づいてＸ線とは異なる放射線の使用量を算出することにより、放射線医薬品に含まれる線源から発する放射線量が時間の経過に伴って変化する場合でも、被検体に対して実際に投与されることにより使用されたＸ線とは異なる放射線による被曝線量を正確に把握することができる。
【００１２】
上記被検体に対して投与されることにより使用されたＸ線とは異なる放射線の使用量を算出する構成において、好ましくは、算出部は、放射線医薬品が製造された時点の放射線医薬品に含まれる線源の量と、放射線医薬品に含まれる線源の半減期と、放射線医薬品が製造された時刻と、放射線医薬品が被検体に投与された投与時刻とに基づいて、被検体に対して投与されることにより使用されたＸ線とは異なる放射線の使用量を算出するように構成されている。このように構成すれば、被検体に対して実際に投与されることにより使用されたＸ線とは異なる放射線による被曝線量を容易に正確に把握することができる。
【００１３】
上記Ｘ線とは異なる種類の放射線が被検体に投与された放射線医薬品から発せられる放射線を含む構成において、好ましくは、放射線情報管理サーバは、所定の期間毎に、医用装置から送信される、Ｘ線の使用量と被検体に対して投与されることにより使用されたＸ線とは異なる放射線医薬品から発せられる放射線の使用量とを集計し、上記規格に基づいた構造化されたレポートを生成するように構成されている。このように構成すれば、被検体に対して使用されたＸ線による被曝線量と、被検体に対して投与されることにより使用されたＸ線とは異なる放射線による被曝線量とを、所定の期間毎に構造化されたレポートとして生成することができる。その結果、構造化されたレポートを用いて、被曝線量のデータの統計的な解析、二次的な利用等を容易に行うことができる。
【００１４】
上記第１の局面による放射線使用量管理システムにおいて、好ましくは、上記規格は、医用画像に関する画像伝送規格であるＤＩＣＯＭ規格を含む。ここで、ＤＩＣＯＭ規格は、ＣＴやＰＥＴ等のようにＸ線を用いて被検体を診断するための医用装置において一般的な医用画像に関する規格である。これにより、ＤＩＣＯＭ規格以外の他の非一般的な規格を用いる場合と異なり、放射線情報管理サーバを、ＤＩＣＯＭ規格に基づいて、医用装置において被検体に対して使用された、Ｘ線の使用量とＸ線とは異なる種類の放射線の使用量とを同一の規格で記憶するように容易に構成することができる。
【００１５】
上記第１の局面による放射線使用量管理システムにおいて、好ましくは、被検体に対して使用されたＸ線に関する情報は、医用装置に設けられるＸ線源に関する情報または医用装置による被検体に対する撮影条件に関する情報を含み、算出部は、医用装置に設けられるＸ線源に関する情報または医用装置による被検体に対する撮影条件に関する情報の少なくともいずれか一方に基づいて、被検体に対して使用されたＸ線の使用量を算出するように構成されている。このように構成すれば、Ｘ線源に関する情報または被検体に対する撮影条件の少なくともいずれかに基づいて、被検体に対して使用されたＸ線の使用量を容易に算出することができる。
【００１６】
この場合、好ましくは、Ｘ線源に関する情報は、Ｘ線源の電圧値、電流値または曝射時間の少なくともいずれかを含む。このように構成すれば、Ｘ線源の電圧値、電流値または曝射時間等は、Ｘ線源から被検体に照射されるＸ線の量に反映される条件であるので、被検体に対して使用されたＸ線の使用量を容易に正確に算出することができる。
【００１７】
この発明の第２の局面による放射線使用量管理システムは、ネットワークに接続され、放射線を用いて被検体を診断または治療する少なくとも１つの医用装置と、当該医用装置の情報を管理する放射線情報管理サーバと、を含み、医用装置に関する情報を管理する放射線使用量管理システムであって、医用装置は、被検体に対して使用されたＸ線に関する情報およびＸ線とは異なる種類の放射線に関する情報とに基づいて、それぞれ、被検体に対して使用されたＸ線の使用量およびＸ線とは異なる種類の放射線の使用量とを算出する算出部と、算出部で算出された被検体に対して使用されたＸ線の使用量と前記Ｘ線とは異なる種類の放射線の使用量とをネットワークを介して放射線情報管理サーバへ送信する送信部と、を有し、放射線情報管理サーバは、送信部から送信される情報を受信する受信部と、受信部に送られた被検体に対して使用されたＸ線の使用量とＸ線とは異なる種類の放射線の使用量とを同一の規格で記憶する記憶部と、を有する。
【００１８】
この発明の第２の局面による放射線使用量管理システムでは、上記のように、医用装置は、被検体に対して使用されたＸ線に関する情報およびＸ線とは異なる種類の放射線に関する情報に基づいて、それぞれ、被検体に対して使用されたＸ線の使用量およびＸ線とは異なる種類の放射線の使用量を算出して放射線情報管理サーバへ送信し、放射線情報管理サーバは、医用装置から送信された被検体に対して使用されたＸ線の使用量とＸ線とは異なる種類の放射線の使用量とを同一の規格で記憶する。これにより、放射線情報管理サーバでは、Ｘ線の使用量とＸ線とは異なる種類の放射線の使用量とを一元管理することができるので、被検体に対して使用されたＸ線による被曝線量とＸ線とは異なる種類の放射線による被曝線量との両方を容易に把握することができる。その結果、被検体に対する診断または治療において、Ｘ線とＸ線とは異なる放射線とが組み合わせて用いられる場合に、医用装置において被検体に対して使用された放射線による被曝線量の総量を容易に把握し、患者毎の被曝線量を容易に管理することができる。
【００１９】
この発明の第３の局面による放射線使用量管理システムは、ネットワークに接続され、放射線を用いて被検体を診断または治療する少なくとも１つの医用装置と、当該医用装置の情報を管理する放射線情報管理サーバと、を含み、医用装置に関する情報を管理する放射線使用量管理システムであって、ネットワーク上において、医用装置と放射線情報管理サーバとの間に設けられる算出部を備え、医用装置は、被検体に対して使用されたＸ線に関する情報とＸ線とは異なる種類の放射線に関する情報とをネットワークを介して算出部へ送信する送信部を有し、算出部は、送信部から送られた被検体に対して使用された前線に関する情報およびＸ線とは異なる種類の放射線に関する情報に基づいて、それぞれ、被検体に対して使用されたＸ線の使用量およびＸ線とは異なる種類の放射線の使用量を算出するとともに、算出された被検体に対して使用されたＸ線の使用量とＸ線とは異なる種類の放射線の使用量とをネットワークを介して放射線情報管理サーバへ送信し、放射線情報管理サーバは、算出部から送信される情報を受信する受信部と、受信部に送られた被検体に対して使用されたＸ線の使用量とＸ線とは異なる種類の放射線の使用量とを同一の規格で記憶する記憶部と、を有する。
【００２０】
この発明の第３の局面による放射線使用量管理システムでは、上記のように、算出部は、医用装置から送信された被検体に対して使用されたＸ線に関する情報およびＸ線とは異なる種類の放射線に関する情報に基づいて、それぞれ、被検体に対して使用されたＸ線の使用量およびＸ線とは異なる種類の放射線の使用量を算出して放射線情報管理サーバへ送信し、放射線情報管理サーバは、算出部から送信された被検体に対して使用されたＸ線の使用量とＸ線とは異なる種類の放射線の使用量とを同一の規格で記憶する。これにより、放射線情報管理サーバでは、Ｘ線の使用量とＸ線とは異なる種類の放射線の使用量とを一元管理することができるので、被検体に対して使用されたＸ線による被曝線量とＸ線とは異なる種類の放射線による被曝線量との両方を容易に把握することができる。その結果、被検体に対する診断または治療において、Ｘ線とＸ線とは異なる放射線とが組み合わせて用いられる場合に、医用装置において被検体に対して使用された放射線による被曝線量の総量を容易に把握し、患者毎の被曝線量を容易に管理することができる。
【発明の効果】
【００２１】
本発明によれば、上記のように、被検体に対する診断または治療において、Ｘ線とＸ線とは異なる放射線とが組み合わせて用いられる場合に、医用装置において被検体に対して使用された放射線による被曝線量の総量を容易に把握し、患者毎の被曝線量を容易に管理することができる。
【図面の簡単な説明】
【００２２】
【図１】本発明の一実施形態による放射線使用量管理システムの全体構成を示したブロック図である。
【図２】（ａ）は、本発明の一実施形態による放射線使用量管理システムにおける構造化されたデータを説明するための図である。（ｂ）は、Ｘ線の使用量を算出するためのデータを説明するための図である。（ｃ）は、Ｘ線の使用量のデータを説明するための図である。
【図３】（ａ）は、被検体に対して投与されることにより使用された放射線の使用量を算出するためのデータを説明するための図である。（ｂ）は、被検体に対して投与されることにより使用された放射線の使用量を算出するためのデータを説明するための別の図である。（ｃ）は、被検体に対して投与されることにより使用された放射線の使用量のデータを説明するための図である。
【図４】本発明の一実施形態による放射線使用量管理システムにおいて生成された構造化されたデータに基づいて被検体に対する放射線の使用量（被検体の被曝線量）レポートを生成する様子を説明するための図である。
【図５】本発明の一実施形態の第１変形例による放射線使用量管理システムの全体構成を示したブロック図である。
【図６】本発明の一実施形態の第２変形例による放射線使用量管理システムの全体構成を示したブロック図である。
【発明を実施するための形態】
【００２３】
以下、本発明を具体化した実施形態を図面に基づいて説明する。
【００２４】
図１〜図４を参照して、本発明の一実施形態による放射線使用量管理システム１００の構成について説明する。放射線使用量管理システム１００は、所定の規格に基づいて、ネットワークＮＷ内の複数の医用装置１０において被検体に対して使用された放射線の使用量等の医用装置１０の情報を一元管理するためのシステムである。なお、本実施形態では、所定の規格は、医用画像に関する画像伝送規格であるＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格である。ＤＩＣＯＭ規格は、医療機関内部における情報システムの相互接続のためのガイドラインであるＩＨＥ（Ｉｎｔｅｇｒａｔｉｎｇ  ｔｈｅ  Ｈｅａｌｔｈｃａｒｅ  Ｅｎｔｅｒｐｒｉｓｅ）準拠の規格である。
【００２５】
図１に示すように、放射線使用量管理システム１００は、複数の医用装置１０と、ＲＩＳ（Ｒａｄｉｏｌｏｇｙ  Ｉｎｆｏｒｍａｔｉｏｎ  Ｓｙｓｔｅｍ）サーバ２１と、ＲＩＳ端末２２と、ＲＩ製造装置３１と、を備えている。複数の医用装置１０と、ＲＩＳサーバ２１と、ＲＩＳ端末２２と、ＲＩ製造装置３１とは、ネットワークＮＷを介して互いに接続されている。なお、ＲＩＳサーバ２１は、特許請求の範囲の「放射線情報管理サーバ」の一例である。
【００２６】
複数の医用装置１０は、Ｘ線透視撮影装置１１と、放射線治療装置１２と、Ｘ−ＴＶ（Ｘ線ＴＶシステム）１３と、ＣＴ１４と、ＰＥＴ／ＣＴ１５と、ＲＩ投与装置１６と、ＳＰＥＣＴ／ＣＴ１７と、ＲＩ投与装置１８と、を含む。
【００２７】
Ｘ線透視撮影装置１１および放射線治療装置１２は、被検体に対して治療を行うための治療室Ｒ１に設けられている。Ｘ−ＴＶ１３およびＣＴ１４は、被検体を診断するためのＣＴシミュレータ室Ｒ２に設けられている。ＰＥＴ／ＣＴ１５およびＲＩ投与装置１６と、ＳＰＥＣＴ／ＣＴ１７およびＲＩ投与装置１８とは、それぞれ、被検体に対して放射線医薬品を投与して診断または治療を行うための、ＰＥＴ／ＣＴ室Ｒ３と、ＳＰＥＣＴ／ＣＴ室Ｒ４とに設けられている。
【００２８】
Ｘ線透視撮影装置１１、Ｘ−ＴＶ１３、ＣＴ１４、ＰＥＴ／ＣＴ１５およびＳＰＥＣＴ／ＣＴ１７は、Ｘ線（放射線）を被検体に照射して被検体を透過したＸ線を検出して画像化することにより被検体を診断するための装置である。放射線治療装置１２は、高強度のＸ線（放射線）を被検体に対して照射することにより被検体を治療するための装置である。ＲＩ投与装置１６およびＲＩ投与装置１８は、ＲＩを含む放射線医薬品を被検体に投与して、ＲＩから発せられるガンマ線（放射線）を検出して画像化することにより被検体を診断するための装置である。
【００２９】
本実施形態では、医用装置１０は、被検体に対して使用されたＸ線に関する情報とＸ線とは異なる種類の放射線に関する情報とを、ネットワークＮＷを介して、ＲＩＳサーバ２１へ送信する送信部（図示しない）を有している。詳細には、Ｘ線透視撮影装置１１、放射線治療装置１２、Ｘ−ＴＶ１３、ＣＴ１４、ＰＥＴ／ＣＴ１５およびＳＰＥＣＴ／ＣＴ１７では、被検体に対して使用されたＸ線の使用量に関するデータを含むデータＤＸを、ネットワークＮＷを介して、ＲＩＳサーバ２１に送信するように構成されている。また、ＲＩ投与装置１６およびＲＩ投与装置１８では、被検体に対して放射線医薬品が投与されることにより、被検体に対して使用されたガンマ線（放射線）の使用量に関するデータを含むデータＤＲを、ネットワークＮＷを介して、ＲＩＳサーバ２１に送信するように構成されている。
【００３０】
具体的には、図２（ａ）に示すように、医用装置１０では、被検体に対して診断または治療が行われた際に、医用装置１０における診断、治療等の実施状況をＲＩＳサーバ２１に伝える仕様であるＤＩＣＯＭ  ＭＰＰＳ（Ｍｏｄａｌｉｔｙ  Ｐｅｒｆｏｒｍｅｄ  Ｐｒｏｃｅｄｕｒｅ  Ｓｔｅｐ）に従って、ＤＩＣＯＭ規格で定義されたデータ形式を有するデータＤＡが自動で生成される。データＤＡは、タグ番号とタグ番号に関連付けられた（構造化された）属性名とを含む。属性名は、患者名、患者ＩＤ、患者の生年月日等の被検体（患者）に関する情報の種別と、Ｘ線管の電流値、電圧値、曝者時間等の医用装置１０に関する情報の種別と、を含む。
【００３１】
図２（ｂ）に示すように、医用装置１０において被検体に対して使用されたＸ線の使用量を算出するためのデータを含むデータＤＸは、データＤＡのうち、Ｘ線管の管電圧（ＫＶｐ）、管電流（Ｘ−Ｒａｙ  Ｔｕｂｅ  Ｃｕｒｒｅｎｔ）、曝射時間（Ｅｘｐｏｒｕｒｅ  Ｔｉｍｅ）等を含む。すなわち、本実施形態では、被検体に対して使用されたＸ線に関する情報は、医用装置１０に設けられるＸ線源に関する情報を含む。そして、図１に示すように、データＤＸは、ＤＩＣＯＭ  ＭＰＰＳに従って、ＲＩＳサーバ２１に自動で送信される。
【００３２】
また、図３（ａ）に示すように、医用装置１０において被検体に対して放射性医薬品が投与されることにより使用されたガンマ線（放射線）の使用量を算出するためのデータを含むデータＤＲは、ＲＩ投与時刻等を含む。そして、図１に示すように、データＤＲは、ＤＩＣＯＭ  ＭＰＰＳに従って、ＲＩＳサーバ２１に自動で送信される。
【００３３】
ＲＩＳサーバ２１は、ネットワークＮＷ内に接続された複数の医用装置１０における放射線の使用量等の医用装置１０の情報を管理するための装置である。ＲＩＳサーバ２１は、ＲＩＳ端末２２とともに、放射線情報管理室Ｒ５に設けられている。
【００３４】
ＲＩＳサーバ２１は、受信部（図示しない）と、放射線使用量算出部２１ａと、記憶部２１ｂと、を備えている。受信部は、医用装置１０（の送信部）から送信される情報を受信するように構成されている。放射線使用量算出部２１ａは、受信部に送られた情報に基づいて、被検体に対して使用された放射線の使用量を算出するように構成されている。記憶部２１ｂは、算出部で算出された放射線の使用量等を記憶するように構成されている。なお、放射線使用量算出部２１ａは、特許請求の範囲の「算出部」の一例である。
【００３５】
本実施形態では、放射線使用量算出部２１ａは、受信部に送られた被検体に対して使用されたＸ線に関する情報に基づいて、被検体に対して使用されたＸ線の使用量を算出するように構成されている。詳細には、放射線使用量算出部２１ａは、Ｘ線透視撮影装置１１、放射線治療装置１２、Ｘ−ＴＶ１３、ＣＴ１４、ＰＥＴ／ＣＴ１５およびＳＰＥＣＴ／ＣＴ１７に設けられるＸ線源に関する情報に基づいて、被検体に対して使用されたＸ線の使用量を算出するように構成されている。また、Ｘ線源に関する情報は、Ｘ線源の電圧値、電流値および曝射時間を含む。
【００３６】
具体的には、図２（ｂ）に示すように、放射線使用量算出部２１ａは、Ｘ線透視撮影装置１１、放射線治療装置１２、Ｘ−ＴＶ１３、ＣＴ１４、ＰＥＴ／ＣＴ１５およびＳＰＥＣＴ／ＣＴ１７から送られたデータＤＸに含まれるＸ線管の管電圧、管電流、曝射時間等のデータに基づいて、医用装置１０において被検体に使用された放射線を表す実効線量（Ｅｆｆｅｃｔｉｖｅ  Ｄｏｓｅ）を算出する。そして、放射線使用量算出部２１ａは、データＤＸを、データＤＸに実効線量のデータを追加したデータＤＸａに変換する。なお、放射線使用量管理システム１００では、データＤＸａに含まれる実効線量のデータは、ユーザ（メーカー）が自由に定義することが可能なプライベートタグ（Ｐｒｉｖａｔｅ  Ｔａｇ）のタグ番号を有する。
【００３７】
また、図１に示すように、本実施形態では、放射線使用量算出部２１ａは、受信部に送られた被検体に対して使用されたＸ線とは異なる放射線に関する情報に基づいて被検体に対して使用されたＸ線とは異なる放射線の使用量を算出するように構成されている。詳細には、放射線使用量算出部２１ａは、ＲＩ投与装置１６およびＲＩ投与装置１８により被検体に投与される放射線医薬品に関する情報等に基づいて、被検体に対して使用されたガンマ線（放射線）の使用量を算出するように構成されている。なお、被検体に対して使用されたガンマ線（放射線）の使用量の算出の詳細に関しては後述する。
【００３８】
本実施形態では、記憶部２１ｂは、放射線使用量算出部２１ａで算出された被検体に対して使用されたＸ線の使用量とＸ線とは異なる種類の放射線の使用量とを同一の規格で記憶するように構成されている。具体的には、記憶部２１ｂは、は、放射線使用量算出部２１ａで算出された被検体に対して使用されたＸ線の使用量を含むデータＤＸａと、被検体に対して使用されたガンマ線（放射線）の使用量を含むデータＤＲａとをＤＩＣＯＭ規格で定義されたデータ形式で記憶するように構成されている。これにより、放射線使用量管理システム１００では、たとえば、被検体毎に、ネットワークＮＷ上における医用装置１０により被検体に対して使用された放射線（Ｘ線およびＸ線とは異なる放射線（ガンマ線））の総量を、一元管理することが可能である。
【００３９】
ここで、本実施形態では、ＲＩＳサーバ２１は、所定の期間毎に、医用装置１０から送信される、Ｘ線の使用量と被検体に対して投与されることにより使用されたＸ線とは異なる放射線の使用量とを集計し、ＤＩＣＯＭ規格に基づいた構造化されたレポートを生成するように構成されている。
【００４０】
具体的には、ＲＩＳサーバ２１では、記憶部２１ｂに記憶されたデータＤＸａおよびデータＤＲａを、あらかじめ設定された所定の期間毎に自動で集計する。そして、ＲＩＳサーバ２１は、集計されたデータＤＸａおよびデータＤＲａに基づいて、レポートＲＰを生成するとともに、レポートＲＰをＲＩＳ端末２２に自動で出力するように構成されている。レポートＲＰは、ＤＩＣＯＭ規格に基づいた構造化された放射線に関するレポートであるＤＩＣＯＭ  ｄｏｓｅ  ＳＲ（Ｓｔｒｕｃｔｕｒｅｄ  Ｒｅｐｏｒｔｉｎｇ）形式を有する。なお、ＲＩＳサーバ２１において、データＤＸａおよびデータＤＲａを集計する期間は、ユーザによりあらかじめ設定することが可能に構成されている。
【００４１】
ＲＩＳ端末２２は、医用装置１０から送信されＲＩＳサーバ２１により管理されている構造化されたデータを表示するための表示装置である。ＲＩＳ端末２２では、ＲＩＳサーバ２１により管理されている放射線の使用量を含むデータＤＸａおよびＤＲａ等をレポート形式で閲覧することが可能に構成されている。具体的には、図４に示すように、ＲＩＳ端末２２では、ユーザがＲＩＳサーバ２１に要求した条件に基づいてＲＩＳサーバ２１からレポートＲＰが自動で出力されるように構成されている。これにより、ＲＩＳ端末２２では、たとえば、被検体（患者）毎の被検体に対する放射線の使用量、医用装置１０が設けられる部屋毎の被検体に対する放射線の使用量等のレポートＲＰを出力することが可能である。
【００４２】
図１に示すように、本実施形態では、放射線使用量算出部２１ａは、ネットワークＮＷ上において、医用装置１０とＲＩＳサーバ２１の記憶部２１ｂとの間に設けられている。具体的には、放射線使用量算出部２１ａは、ネットワークＮＷ上において、治療室Ｒ１、ＣＴシミュレータ室Ｒ２、ＰＥＴ／ＣＴ室Ｒ３およびＳＰＥＣＴ／ＣＴ室Ｒ４に設けられた各々の医用装置１０と、放射線情報管理室Ｒ５に設けられたＲＩＳサーバ２１の記憶部２１ｂとの間に設けられている。
【００４３】
ＲＩ製造装置３１は、ＰＥＴ／ＣＴ室Ｒ３のＲＩ投与装置１６およびＳＰＥＣＴ／ＣＴ室Ｒ４のＲＩ投与装置１８で用いられる放射線医薬品を製造するための装置である。ＲＩ製造装置３１は、ＰＥＴ／ＣＴ室Ｒ３およびＳＰＥＣＴ／ＣＴ室Ｒ４の比較的近傍のＲＩ製造室Ｒ６に設けられている。なお、放射線医薬品に含まれるＲＩから発せられる放射線量は、ＲＩの放射性崩壊により時間経過とともに変化するので、放射線医薬品が製造された時点と放射線医薬品が被検体に投与された時点とで異なる場合がある。
【００４４】
そこで、本実施形態では、放射線使用量算出部２１ａは、被検体に対して投与されることにより使用されたＸ線とは異なる放射線（ガンマ線）の使用量は、放射線医薬品に含まれる線源の量、および、放射線医薬品が被検体に投与された投与タイミングに基づいて算出するように構成されている。詳細には、放射線使用量算出部２１ａは、被検体に対して投与されることにより使用されたＸ線とは異なる放射線（ガンマ線）の使用量を、放射線医薬品が製造された時点の放射線医薬品に含まれる線源の量と、放射線医薬品に含まれる線源の半減期と、放射線医薬品が製造された時刻と、放射線医薬品が被検体に投与された投与時刻とに基づいて算出するように構成されている。
【００４５】
具体的には、図３（ａ）に示すように、ＲＩ製造装置３１では、ＲＩ製造装置３１で放射線医薬品が製造される際に、製造された放射線医薬品に含まれるＲＩに関するデータを含むデータＤＲｍが、ＤＩＣＯＭ  ＭＰＰＳに従って、ＲＩＳサーバ２１に自動で送信されるように構成されている。データＤＲｍは、ＲＩの半減期、ＲＩの製造時刻、製造時のＲＩの量等のデータを含む。また、図３（ｂ）に示すように、ＲＩ投与装置１６およびＲＩ投与装置１８において、被検体に放射線医薬品が投与されることにより被検体に対する治療が行われる際に、放射線医薬品に含まれるＲＩに関するデータを含むデータＤＲが、ＤＩＣＯＭ  ＭＰＰＳに従って、ＲＩＳサーバ２１に自動で送信されるように構成されている。上述したように、データＤＲは、ＲＩの投与時刻等のデータを含む。なお、データＤＲｍに含まれるＲＩの半減期、ＲＩの製造時刻、製造時のＲＩの量のデータ、および、データＤＲに含まれるＲＩの投与時刻のデータは、プライベートタグ（Ｐｒｉｖａｔｅ  Ｔａｇ）のタグ番号を有する。
【００４６】
そして、放射線使用量算出部２１ａは、ＲＩ投与装置１６、ＲＩ投与装置１８およびＲＩ製造装置３１から送られたＲＩの製造時刻とＲＩ投与時刻とに基づいて、ＲＩが製造されてからの経過時間を算出する。次に、放射線使用量算出部２１ａは、算出したＲＩが製造されてからの経過時間と、製造時のＲＩの量と、ＲＩの半減期（ＲＩから発せられる線量が半分になる時間）とに基づいて、ＲＩが投与された時刻におけるＲＩの量を算出する。これにより、図３（ｃ）に示すように、放射線使用量算出部２１ａは、被検体に放射性医薬品が投与されることにより被検体に実際に使用されたＸ線とは異なる放射線（ガンマ線）の使用量（ＲＩ使用量）を算出する。
【００４７】
なお、図１に示すように、放射線使用量管理システム１００は、ネットワークＮＷを介して、
他の病院のシステムと接続することが可能に構成されている。したがって、放射線使用量管理システム１００が設けられた複数の病院同士をネットワークＮＷを介して接続することにより、ネットワークＮＷに接続された複数の病院内における被検体に対して使用された放射線の使用量等の医用装置１０の情報を一元管理することが可能である。
【００４８】
（実施形態の効果）
本実施形態では、以下のような効果を得ることができる。
【００４９】
本実施形態では、上記のように、ＲＩＳサーバ２１を、医用装置１０から送信された被検体に対して使用されたＸ線に関する情報およびＸ線とは異なる種類の放射線に関する情報に基づいて、それぞれ、被検体に対して使用されたＸ線の使用量およびＸ線とは異なる種類の放射線の使用量を算出して、算出された被検体に対して使用されたＸ線の使用量とＸ線とは異なる種類の放射線の使用量とを同一の規格で記憶するように構成する。これにより、ＲＩＳサーバ２１では、Ｘ線の使用量とＸ線とは異なる種類の放射線の使用量とを一元管理することができるので、被検体に対して使用されたＸ線による被曝線量とＸ線とは異なる種類の放射線による被曝線量との両方を容易に把握することができる。その結果、被検体に対する診断または治療において、Ｘ線とＸ線とは異なる放射線とが組み合わせて用いられる場合に、医用装置１０において被検体に対して使用された放射線による被曝線量の総量を容易に把握し、患者毎の被曝線量を容易に管理することができる。また、上記のように、複数の病院にそれぞれ設けられた放射線使用量管理システム１００を、ネットワークＮＷを介して互いに接続させることによって、被検体が複数の病院において診断または治療を受ける場合においても、医用装置１０において被検体に対して使用された放射線による被曝線量の総量を容易に把握し、患者毎の被曝線量を容易に管理することができる。
【００５０】
また、本実施形態では、上記のように、Ｘ線とは異なる種類の放射線は、被検体に投与された放射線医薬品から発せられるＸ線とは異なる放射線を含む。これにより、Ｘ線の使用量と被検体に対して投与されることにより使用されたＸ線とは異なる放射線の使用量とを一元管理することができるので、被検体に対して使用されたＸ線による被曝線量と、被検体に対して投与されることにより使用されたＸ線とは異なる放射線による被曝線量との両方を容易に把握することができる。
【００５１】
また、本実施形態では、上記のように、放射線使用量算出部２１ａを、放射線医薬品に含まれる線源の量、および、放射線医薬品が被検体に投与された投与タイミングに基づいて、被検体に対して投与されることにより使用されたＸ線とは異なる放射線の使用量を取得するように構成する。これにより、放射線医薬品が被検体に投与された投与タイミングに基づいてＸ線とは異なる放射線の使用量を算出することにより、放射線医薬品に含まれる線源から発する放射線量が時間の経過に伴って変化する場合でも、被検体に対して実際に投与されることにより使用されたＸ線とは異なる放射線による被曝線量を正確に把握することができる。
【００５２】
また、本実施形態では、上記のように、放射線使用量算出部２１ａを、放射線医薬品が製造された時点の放射線医薬品に含まれる線源の量と、放射線医薬品に含まれる線源の半減期と、放射線医薬品が製造された時刻と、放射線医薬品が被検体に投与された投与時刻とに基づいて、被検体に対して投与されることにより使用されたＸ線とは異なる放射線の使用量を算出するように構成する。これにより、被検体に対して実際に投与されることにより使用されたＸ線とは異なる放射線による被曝線量を容易に正確に把握することができる。
【００５３】
また、本実施形態では、上記のように、放射線使用量算出部２１ａを、ネットワークＮＷ上において、医用装置１０とＲＩＳサーバ２１との間に設ける。これにより、医用装置１０において実際に被検体に対して投与されることにより使用されたＸ線とは異なる放射線の使用量を、医用装置１０からＲＩＳサーバ２１に伝達される途中で算出することができるので、ＲＩＳサーバ２１により、被検体に対して実際に投与されることにより使用されたＸ線とは異なる放射線による被曝線量を迅速に把握することができる。
【００５４】
また、本実施形態では、上記のように、ＲＩＳサーバ２１を、所定の期間毎に、医用装置１０から送信される、Ｘ線の使用量と被検体に対して投与されることにより使用された放射線医薬品から発せられるＸ線とは異なる放射線の使用量とを集計し、同一の規格に基づいた構造化されたレポートＲＰを生成するように構成する。これにより、被検体に対して使用されたＸ線による被曝線量と、被検体に対して投与されることにより使用されたＸ線とは異なる放射線による被曝線量とを、所定の期間毎に構造化されたレポートＲＰとして生成することができる。その結果、構造化されたレポートＲＰを用いて、被曝線量のデータの統計的な解析、二次的な利用等を容易に行うことができる。
【００５５】
また、本実施形態では、上記のように、（Ｘ線の使用量とＸ線とは異なる種類の放射線の使用量とを記憶するための）規格は、医用画像に関する画像伝送規格であるＤＩＣＯＭ規格を含む。これにより、ＤＩＣＯＭ規格以外の他の非一般的な規格を用いる場合と異なり、ＲＩＳサーバ２１を、ＤＩＣＯＭ規格に基づいて、医用装置１０において被検体に対して使用された、Ｘ線の使用量とＸ線とは異なる種類の放射線の使用量とを同一の規格で記憶するように容易に構成することができる。
【００５６】
また、本実施形態では、上記のように、被検体に対して使用されたＸ線に関する情報は、医用装置１０に設けられるＸ線源に関する情報または医用装置１０による被検体に対する撮影条件に関する情報を含み、放射線使用量算出部２１ａを、Ｘ線源に関する情報に基づいて、被検体に対して使用されたＸ線の使用量を算出するように構成する。これにより、Ｘ線源に関する情報に基づいて、被検体に対して使用されたＸ線の使用量を容易に算出することができる。
【００５７】
また、本実施形態では、上記のように、Ｘ線源に関する情報は、Ｘ線源の電圧値、電流値および曝射時間を含む。これにより、Ｘ線源の電圧値、電流値および曝射時間等は、Ｘ線源から被検体に照射されるＸ線の量に反映される条件であるので、被検体に対して使用されたＸ線の使用量を容易に正確に算出することができる。
【００５８】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５９】
たとえば、上記実施形態では、ＲＩＳサーバ２１を、被検体に対して使用されたＸ線の使用量とＸ線とは異なる種類の放射線の使用量とをＤＩＣＯＭ規格で記憶するように構成した例を示したが、本発明はこれに限られない。本発明では、ＲＩＳサーバ２１を、同一の規格で記憶されるのであれば、被検体に対して使用されたＸ線の使用量とＸ線とは異なる種類の放射線の使用量とをＤＩＣＯＭ規格以外の規格で記憶するように構成してもよい。
【００６０】
また、上記実施形態では、ＲＩ投与装置１６およびＲＩ投与装置１８を、ＲＩを含む放射線医薬品を被検体に投与して、ＲＩから発せられるガンマ線（放射線）を検出して画像化することにより被検体を診断するための装置とした例を示したが、本発明はこれに限られない。本発明では、ＲＩ投与装置１６およびＲＩ投与装置１８を、ＲＩを含む放射線医薬品を被検体に投与して、ＲＩから発せられるアルファ線、ベータ線またはガンマ線の少なくともいずれかの放射線を被検体の患部に照射することにより被検体を治療するための装置としてもよい。
【００６１】
また、上記実施形態では、ＲＩＳサーバ２１を、被検体に対して使用されたＸ線の使用量と被検体に対して使用された放射線医薬品から発せられるＸ線とは異なる放射線の使用量とをＤＩＣＯＭ規格で記憶するように構成した例を示したが、本発明はこれに限られない。本発明では、ＲＩＳサーバ２１を、被検体に対して使用されたＸ線の使用量と被検体に対して治療のために使用された粒子線、中性子線等のＸ線とは異なる放射線の使用量とをＤＩＣＯＭ規格で記憶するように構成してもよい、この場合、たとえば、高強度のＸ線を被検体に対して照射することにより被検体を治療するための装置である放射線治療装置１２を、粒子線、中性子線等のＸ線とは異なる放射線を被検体に対して照射することにより被検体を治療する装置に置き換えてもよい。
【００６２】
また、上記実施形態では、医用装置１０において生成されたデータＤＸおよびＤＲを、それぞれ、１つの装置（放射線使用量算出部２１ａ）により、医用装置１０において被検体に使用された放射線を表す実効線量のデータを含むデータＤＸａおよび被検体に対して放射性医薬品が投与されることにより実際に使用された放射線の使用量（ＲＩ投与量）を含むデータＤＲａに変換するように構成した例を示したが、本発明はこれに限られない。本発明では、医用装置１０において生成されたデータＤＸとＤＲとを、それぞれ、別個の装置において、実効線量のデータを含むデータＤＸａおよび放射性医薬品が投与されることにより実際に使用された放射線の使用量を含むデータＤＲａに変換するように構成してもよい。
【００６３】
また、上記実施形態では、放射線使用量算出部２１ａを、ＲＩＳサーバ２１に設けた例を示したが、本発明はこれに限られない。本発明では、図５に示した上記実施形態の第１変形例による放射線使用量管理システム１００ａのように、放射線使用量算出部２１ａを、医用装置１０に設けてもよい。また、図６に示した上記実施形態の第２変形例による放射線使用量管理システム１００ｂのように、放射線使用量算出部２１ａを、医用装置１０とＲＩＳサーバ２１とは別個に設けられた装置として設けるようにしてもよい。その場合、放射線使用量算出部２１ａは、ネットワークＮＷ上において、医用装置１０とＲＩＳサーバ２１との間に設けられるのが好ましい。
【００６４】
また、上記実施形態では、ＲＩ投与装置１６および１８において投与される放射線医薬品を製造するためのＲＩ製造装置３１を、ＰＥＴ／ＣＴ室Ｒ３およびＳＰＥＣＴ／ＣＴ室Ｒ４の比較的近傍のＲＩ製造室Ｒ６に設けた例を示したが、本発明はこれに限られない。本発明では、ＲＩ投与装置１６および１８において投与される放射線医薬品を、病院外の施設に設けられたＲＩ製造装置により製造するようにしてもよい。この場合、ＲＩ製造装置による放射線医薬品の製造時刻に関するデータは、たとえば、ユーザがＲＩＳ端末２２から入力することにより取得されるようにしてもよい。
【００６５】
また、上記実施形態では、放射線使用量算出部２１ａを、医用装置１０に設けられるＸ線源に関する情報に基づいて、被検体に対して使用されたＸ線の使用量を算出するように構成した例を示したが、本発明はこれに限られない。本発明では、放射線使用量算出部２１ａを、医用装置１０による被検体に対する撮影条件に関する情報に基づいて、被検体に対して使用されたＸ線の使用量を算出するように構成してもよい。また、放射線使用量算出部２１ａを、医用装置１０に設けられるＸ線源に関する情報と医用装置１０による被検体に対する撮影条件に関する情報との両方に基づいて、被検体に対して使用されたＸ線の使用量を算出するように構成してもよい。
【００６６】
また、上記実施形態では、Ｘ線源に関する情報は、Ｘ線源の電圧値、電流値および曝射時間を含む例を示したが、本発明はこれに限られない。本発明では、Ｘ線源に関する情報は、Ｘ線源の電圧値、電流値または曝射時間のうちのいずれか１つまたは２つのみを含むようにしてもよいし、Ｘ線源の電圧値、電流値および曝射時間以外の情報を含むようにしてもよい。
【符号の説明】
【００６７】
１０  医用装置
２１  ＲＩＳサーバ（放射線情報管理サーバ）
２１ａ  放射線使用量算出部（算出部）
２１ｂ  記憶部
１００、１００ａ、１００ｂ  放射線使用量管理システム
ＮＷ  ネットワーク
ＲＰ  （構造化された）レポート
【図１】
2019136376.tif 000003
【図２】
2019136376.tif 000004
【図３】
2019136376.tif 000005
【図４】
2019136376.tif 000006
【図５】
2019136376.tif 000007
【図６】
2019136376.tif 000008